【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
ワイヤレスネットワーク内のロケーションサーバにおいてユーザ機器（ＵＥ）を位置特定する方法であって、
複数の無線アクセス技術（ＲＡＴ）のうちのどのＲＡＴが前記ＵＥにサービス提供するサービングＲＡＴであるかにかかわらず、前記ＵＥのロケーションを決定するためのロケーション測定値の第１のセットに対する要求を備える第１のメッセージを、ワイヤレスエンティティに送ることと、ここにおいて、
前記ロケーション測定値の第１のセットは、複数のＲＡＴに属する信号の測定値を備え、
前記複数のＲＡＴは、前記ＵＥにサービス提供する前記サービングＲＡＴを含む、
前記ワイヤレスエンティティから第２のメッセージを受信することと、ここで、前記第２のメッセージは、前記ＵＥの前記ロケーションを決定するためのロケーション測定値の第２のセットを備え、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ロケーション測定値の第２のセットに基づいて前記ＵＥの前記ロケーションを決定することと
を備える方法。
【請求項２】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項１に記載の方法。
【請求項３】
前記ワイヤレスエンティティは、前記サービングＲＡＴの前記ワイヤレスネットワークのための第１のアクセスノードを備える、請求項２に記載の方法。
【請求項４】
前記第１のメッセージおよび前記第２のメッセージは、ＮＲ測位プロトコルＡ（ＮＲＰＰａ）のためのメッセージを備える、請求項３に記載の方法。
【請求項５】
前記ロケーション測定値の第２のセットは、前記サービングＲＡＴを使用して前記第１のアクセスノードによって送信された信号の、前記ＵＥによって取得されるロケーション測定値を備え、
前記ＵＥによって取得される前記ロケーション測定値は、前記ＵＥによって前記第１のアクセスノードに送られる、
請求項３に記載の方法。
【請求項６】
ワイヤレスネットワークにおいてユーザ機器（ＵＥ）を位置特定するためのサーバであって、
通信インターフェースと、
メモリと、
前記メモリおよび前記通信インターフェースと通信可能に結合されている１つまたは複数の処理ユニットと
を備え、前記１つまたは複数の処理ユニットは、
複数の無線アクセス技術（ＲＡＴ）のうちのどのＲＡＴが前記ＵＥにサービス提供するサービングＲＡＴであるかにかかわらず、前記ＵＥのロケーションを決定するためのロケーション測定値の第１のセットに対する要求を備える第１のメッセージを、ワイヤレスエンティティに前記通信インターフェースを介して送ることと、ここにおいて、
前記ロケーション測定値の第１のセットは、前記複数のＲＡＴに属する信号の測定値を備え、
前記複数のＲＡＴは、前記ＵＥにサービス提供する前記サービングＲＡＴを含む、
前記ワイヤレスエンティティから第２のメッセージを、前記通信インターフェースを介して、受信することと、ここで、前記第２のメッセージは、前記ＵＥの前記ロケーションを決定するためのロケーション測定値の第２のセットを備え、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ロケーション測定値の第２のセットに基づいて前記ＵＥの前記ロケーションを決定することと
を前記サーバに行わせるように構成される、サーバ。
【請求項７】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項６に記載のサーバ。
【請求項８】
前記ワイヤレスエンティティは、前記サービングＲＡＴの前記ワイヤレスネットワークのための第１のアクセスノードを備える、請求項７に記載のサーバ。
【請求項９】
前記第１のメッセージおよび前記第２のメッセージは、ＮＲ測位プロトコルＡ（ＮＲＰＰａ）のためのメッセージを備える、請求項８に記載のサーバ。
【請求項１０】
前記ロケーション測定値の第２のセットは、前記サービングＲＡＴを使用して前記第１のアクセスノードによって送信された信号の、前記ＵＥによって取得されるロケーション測定値を備え、
前記ＵＥによって取得される前記ロケーション測定値は、前記ＵＥによって前記第１のアクセスノードに送られる、
請求項８に記載のサーバ。
【手続補正２】
【補正対象書類名】明細書
【補正対象項目名】０１４８
【補正方法】変更
【補正の内容】
【０１４８】
[0155]いくつかの実施形態が説明されてきたが、本開示の精神から逸脱することなく、様々な修正、代替的な構成体、および等価物が使用され得る。例えば、上の要素は、より大きなシステムの構成要素にすぎず、そこでは、他の規則が、様々な実施形態の適用よりも優先され得るか、そうでなければそれらを修正し得る。また、上の要素が考慮される前に、最中に、または後に、いくつかのステップが実施され得る。したがって、上の説明は、本開示の範囲を制限するものではない。
以下に本願発明の当初の特許請求の範囲に記載された発明を付記する。
［Ｃ１］
ワイヤレスネットワーク内のロケーションサーバにおいてユーザ機器（ＵＥ）を位置特定する方法であって、
前記ＵＥのロケーションを決定するためのロケーション測定値の第１のセットに対する要求を備える第１のメッセージを、ワイヤレスエンティティに送ることと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、
前記複数のＲＡＴのうちのどのＲＡＴが前記サービングＲＡＴを備えるかは、前記ロケーションサーバにとって未知である、
前記ワイヤレスエンティティから第２のメッセージを受信することと、ここで、前記第２のメッセージは、前記ＵＥの前記ロケーションを決定するためのロケーション測定値の第２のセットを備え、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ロケーション測定値の第２のセットに基づいて前記ＵＥの前記ロケーションを決定することと
を備える方法。
［Ｃ２］
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、Ｃ１に記載の方法。
［Ｃ３］
前記ワイヤレスエンティティは、前記サービングＲＡＴの前記ワイヤレスネットワークのための第１のアクセスノードを備える、Ｃ２に記載の方法。
［Ｃ４］
前記第１のメッセージおよび前記第２のメッセージは、ＮＲ測位プロトコルＡ（ＮＲＰＰａ）のためのメッセージを備える、Ｃ３に記載の方法。
［Ｃ５］
前記ロケーション測定値の第２のセットは、前記サービングＲＡＴを使用して前記第１のアクセスノードによって送信された信号の、前記ＵＥによって取得されるロケーション測定値を備え、
前記ＵＥによって取得される前記ロケーション測定値は、前記ＵＥによって前記第１のアクセスノードに送られる、
Ｃ３に記載の方法。
［Ｃ６］
前記ロケーション測定値の第２のセットは、前記複数のＲＡＴのうちの少なくとも１つを使用して第２のアクセスノードによって送信された信号の、前記ＵＥによって取得されるロケーション測定値を備え、
前記第２のアクセスノードは、前記第１のアクセスノードとは異なり、
前記ＵＥによって取得される前記ロケーション測定値は、前記ＵＥによって前記第１のアクセスノードに送られる、
Ｃ３に記載の方法。
［Ｃ７］
ワイヤレスネットワークのためのアクセスノードにおいてユーザ機器（ＵＥ）を位置特定する方法であって、
前記ＵＥのロケーションを決定するためのロケーション測定値の第１のセットに対する要求を備える第１のメッセージを、前記ワイヤレスネットワーク内のロケーションサーバから受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを備え、
前記複数のＲＡＴのうちのどのＲＡＴが前記サービングＲＡＴを備えるかは、前記ロケーションサーバにとって未知であり、
前記アクセスノードは、前記サービングＲＡＴのアクセスノードである、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
第２のメッセージを前記ロケーションサーバに送ることと、ここで、前記第２のメッセージは、前記ロケーション測定値の第２のセットを備える、
を備える方法。
［Ｃ８］
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、Ｃ７に記載の方法。
［Ｃ９］
前記アクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能を備える、Ｃ８に記載の方法。
［Ｃ１０］
前記アクセスノードは、前記ＵＥのためのサービングｇＮＢまたはサービングｎｇ−ｅＮＢである、Ｃ９に記載の方法。
［Ｃ１１］
前記第１のメッセージおよび前記第２のメッセージは、ＮＲ測位プロトコルＡ（ＮＲＰＰａ）のためのメッセージを備える、Ｃ８に記載の方法。
［Ｃ１２］
前記ロケーション測定値の第２のセットを取得することは、
前記ＵＥによって送信された前記サービングＲＡＴのための信号のロケーション測定値の第３のセットを取得することと、
前記ロケーション測定値の第３のセットを、前記ロケーション測定値の第２のセットに含めることと
を備える、Ｃ８に記載の方法。
［Ｃ１３］
前記ロケーション測定値の第２のセットを取得することは、
前記複数のＲＡＴのうちの少なくとも１つを使用して少なくとも１つのアクセスノードによって送信された信号の、前記ＵＥによって取得されるロケーション測定値を、前記アクセスノードにおいて、受信することと、
前記ＵＥによって取得される前記ロケーション測定値を、前記ロケーション測定値の第２のセットに含めることと
を備える、Ｃ８に記載の方法。
［Ｃ１４］
前記少なくとも１つのアクセスノードは、前記アクセスノードを備え、前記複数のＲＡＴのうちの前記少なくとも１つは、前記サービングＲＡＴを備える、Ｃ１３に記載の方法。
［Ｃ１５］
ロケーション情報を提供するための、ユーザ機器（ＵＥ）における、方法であって、
前記ＵＥのロケーションを決定するためのロケーション測定値の第１のセットに対する要求を備える第１のメッセージを、ワイヤレスネットワーク内のロケーションサーバから受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、
前記複数のＲＡＴのうちのどのＲＡＴが前記サービングＲＡＴを備えるかは、前記ロケーションサーバにとって未知である、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
第２のメッセージを前記ロケーションサーバに送ることと、ここで、前記第２のメッセージは、前記ロケーション測定値の第２のセットを備える、
を備える方法。
［Ｃ１６］
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、Ｃ１５に記載の方法。
［Ｃ１７］
前記ロケーション測定値の第２のセットを取得することは、
前記複数のＲＡＴのうちの少なくとも１つを使用して少なくとも１つのアクセスノードによって送信された信号のロケーション測定値の第３のセットを取得することと、
前記ロケーション測定値の第３のセットを、前記ロケーション測定値の第２のセットに含めることと
を備える、Ｃ１６に記載の方法。
［Ｃ１８］
ワイヤレスネットワークにおいてユーザ機器（ＵＥ）を位置特定するためのサーバであって、
通信インターフェースと、
メモリと、
前記メモリおよび前記通信インターフェースと通信可能に結合されている１つまたは複数の処理ユニットと
を備え、前記１つまたは複数の処理ユニットは、
前記ＵＥのロケーションを決定するためのロケーション測定値の第１のセットに対する要求を備える第１のメッセージを、ワイヤレスエンティティに前記通信インターフェースを介して送ることと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、 前記複数のＲＡＴのうちのどのＲＡＴが前記サービングＲＡＴを備えるかは、前記サーバにとって未知である、
前記ワイヤレスエンティティから第２のメッセージを、前記通信インターフェースを介して、受信することと、ここで、前記第２のメッセージは、前記ＵＥの前記ロケーションを決定するためのロケーション測定値の第２のセットを備え、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ロケーション測定値の第２のセットに基づいて前記ＵＥの前記ロケーションを決定することと
を前記サーバに行わせるように構成される、サーバ。
［Ｃ１９］
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、Ｃ１８に記載のサーバ。
［Ｃ２０］
前記ワイヤレスエンティティは、前記サービングＲＡＴの前記ワイヤレスネットワークのための第１のアクセスノードを備える、Ｃ１９に記載のサーバ。
［Ｃ２１］
前記第１のメッセージおよび前記第２のメッセージは、ＮＲ測位プロトコルＡ（ＮＲＰＰａ）のためのメッセージを備える、Ｃ２０に記載のサーバ。
［Ｃ２２］
前記ロケーション測定値の第２のセットは、前記サービングＲＡＴを使用して前記第１のアクセスノードによって送信された信号の、前記ＵＥによって取得されるロケーション測定値を備え、
前記ＵＥによって取得される前記ロケーション測定値は、前記ＵＥによって前記第１のアクセスノードに送られる、
Ｃ２０に記載のサーバ。
［Ｃ２３］
前記ロケーション測定値の第２のセットは、前記複数のＲＡＴのうちの少なくとも１つを使用して第２のアクセスノードによって送信された信号の、前記ＵＥによって取得されるロケーション測定値を備え、
前記第２のアクセスノードは、前記第１のアクセスノードとは異なり、
前記ＵＥによって取得される前記ロケーション測定値は、前記ＵＥによって前記第１のアクセスノードに送られる、
Ｃ２０に記載のサーバ。
［Ｃ２４］
ワイヤレスネットワークにおいてユーザ機器（ＵＥ）を位置特定するためのアクセスノードであって、
通信インターフェースと、
メモリと、
前記メモリおよび前記通信インターフェースと通信可能に結合されている１つまたは複数の処理ユニットと
を備え、前記１つまたは複数の処理ユニットは、
前記ＵＥのロケーションを決定するためのロケーション測定値の第１のセットに対する要求を備える第１のメッセージを、前記ワイヤレスネットワーク内のロケーションサーバから前記通信インターフェースを介して、受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを備え、 前記複数のＲＡＴのうちのどのＲＡＴが前記サービングＲＡＴを備えるかは、前記ロケーションサーバにとって未知であり、
前記アクセスノードは、前記サービングＲＡＴのアクセスノードである、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記通信インターフェースを介して第２のメッセージを前記ロケーションサーバに送ることと、ここで、前記第２のメッセージは、前記ロケーション測定値の第２のセットを備える、
を前記アクセスノードに行わせるように構成される、アクセスノード。
［Ｃ２５］
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、Ｃ２４に記載のアクセスノード。
［Ｃ２６］
前記アクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能を備える、Ｃ２５に記載のアクセスノード。
［Ｃ２７］
前記アクセスノードは、前記ＵＥのためのサービングｇＮＢまたはサービングｎｇ−ｅＮＢである、Ｃ２６に記載のアクセスノード。
［Ｃ２８］
前記第１のメッセージおよび前記第２のメッセージは、ＮＲ測位プロトコルＡ（ＮＲＰＰａ）のためのメッセージを備える、Ｃ２５に記載のアクセスノード。
［Ｃ２９］
前記１つまたは複数の処理ユニットは、少なくとも部分的に、
前記ＵＥによって送信された前記サービングＲＡＴのための信号のロケーション測定値の第３のセットを取得することと、
前記ロケーション測定値の第３のセットを、前記ロケーション測定値の第２のセットに含めることと
によって、前記ロケーション測定値の第２のセットを取得することを前記アクセスノードに行わせるように構成される、Ｃ２５に記載のアクセスノード。
［Ｃ３０］
前記ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの任意の組合せのうちの少なくとも１つを備える、Ｃ２９に記載のアクセスノード。
［Ｃ３１］
前記１つまたは複数の処理ユニットは、少なくとも部分的に、
前記複数のＲＡＴのうちの少なくとも１つを使用して少なくとも１つのアクセスノードによって送信された信号の、前記ＵＥによって取得されるロケーション測定値を、前記アクセスノードにおいて、受信することと、
前記ＵＥによって取得される前記ロケーション測定値を、前記ロケーション測定値の第２のセットに含めることと
によって、前記ロケーション測定値の第２のセットを取得することを前記アクセスノードに行わせるように構成される、Ｃ２５に記載のアクセスノード。
［Ｃ３２］
前記少なくとも１つのアクセスノードは、前記アクセスノードを備え、前記複数のＲＡＴのうちの前記少なくとも１つは、前記サービングＲＡＴを備える、Ｃ３１に記載のアクセスノード。
［Ｃ３３］
前記少なくとも１つのアクセスノードは、前記アクセスノードを備えない、Ｃ３１に記載のアクセスノード。
［Ｃ３４］
前記複数のＲＡＴのうちの前記少なくとも１つは、前記サービングＲＡＴを備えない、Ｃ３３に記載のアクセスノード。
［Ｃ３５］
前記１つまたは複数の処理ユニットは、前記ＵＥによって取得される前記ロケーション測定値に対する要求を、前記ＵＥに送ることを前記アクセスノードに行わせるようにさらに構成され、ここにおいて、前記ＵＥによって取得される前記ロケーション測定値を前記受信することは、前記ＵＥによって取得される前記ロケーション測定値に対する前記要求を前記送ることに応じて行われる、Ｃ３１に記載のアクセスノード。
［Ｃ３６］
前記ＵＥによって取得される前記ロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの任意の組合せのうちの少なくとも１つを備える、Ｃ３１に記載のアクセスノード。
［Ｃ３７］
ユーザ機器（ＵＥ）であって、
ワイヤレス通信インターフェースと、
メモリと、
前記メモリおよび前記ワイヤレス通信インターフェースと通信可能に結合されている１つまたは複数の処理ユニットと
を備え、前記１つまたは複数の処理ユニットは、
前記ＵＥのロケーションを決定するためのロケーション測定値の第１のセットに対する要求を備える第１のメッセージを、ワイヤレスネットワーク内のロケーションサーバから前記ワイヤレス通信インターフェースを介して、受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、 前記複数のＲＡＴのうちのどのＲＡＴが前記サービングＲＡＴを備えるかは、前記ロケーションサーバにとって未知である、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ワイヤレス通信インターフェースを介して第２のメッセージを前記ロケーションサーバに送ることと、ここで、前記第２のメッセージは、前記ロケーション測定値の第２のセットを備える、
を前記ＵＥに行わせるように構成される、ＵＥ。
［Ｃ３８］
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、Ｃ３７に記載のＵＥ。
［Ｃ３９］
前記第１のメッセージおよび前記第２のメッセージは、ＬＴＥ測位プロトコル（ＬＰＰ）、ＮＲ測位プロトコル（ＮＰＰ）、または両方のためのメッセージを備える、Ｃ３８に記載のＵＥ。
［Ｃ４０］
前記１つまたは複数の処理ユニットは、少なくとも部分的に、
前記複数のＲＡＴのうちの少なくとも１つを使用して少なくとも１つのアクセスノードによって送信された信号のロケーション測定値の第３のセットを取得することと、
前記ロケーション測定値の第３のセットを、前記ロケーション測定値の第２のセットに含めることと
によって、前記ロケーション測定値の第２のセットを取得することを前記ＵＥに行わせるように構成される、Ｃ３８に記載のＵＥ。
［Ｃ４１］
前記ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡＯＤ）、受信送信時間差（Ｒｘ−Ｔｘ）、基準信号時間差（ＲＳＴＤ）、到着時間（ＴＯＡ）、またはそれらの任意の組合せのうちの少なくとも１つを備える、Ｃ４０に記載のＵＥ。
［Ｃ４２］
前記少なくとも１つのアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備える、Ｃ４０に記載のＵＥ。
［Ｃ４３］
前記複数のＲＡＴのうちの前記少なくとも１つは、前記サービングＲＡＴを備える、Ｃ４０に記載のＵＥ。
［Ｃ４４］
前記少なくとも１つのアクセスノードは、前記ＵＥのためのサービングｇＮＢまたはサービングｎｇ−ｅＮＢを備える、Ｃ４３に記載のＵＥ。
［Ｃ４５］
前記複数のＲＡＴのうちの前記少なくとも１つは、前記サービングＲＡＴとは異なる、Ｃ４０に記載のＵＥ。